(57)【特許請求の範囲】
【請求項１】
ユーザ端末ＵＥが無線ＬＡＮにアクセスした後に、ネットワーク側機器が前記ＵＥの位置情報を特定することと、
特定した前記ＵＥの位置情報、および、異なる地理位置情報にそれぞれ対応する所定の緊急番号リストに基づいて、ＵＥに対し緊急番号リストを設定すること、
前記ＵＥの位置情報に対応する緊急番号リストを前記ＵＥに配信することとを含み、
ここで、前記の前記ＵＥの位置情報に対応する緊急番号リストを前記ＵＥに配信することは、
前記ＵＥに対し設定した緊急番号リストを前記ＵＥに配信することを含み、
前記のネットワーク側機器が前記ＵＥの位置情報を特定することは、
前記ＵＥから送信された接続確立メッセージを受信することと、
前記接続確立メッセージの中の前記ＵＥの情報に基づいて、前記ＵＥの位置情報を特定することとを含む緊急番号設定方法。
【請求項２】
前記接続確立メッセージは、
接続要求メッセージまたは認証要求メッセージである請求項１に記載の方法。
【請求項３】
前記ＵＥの情報は、
前記ＵＥのＩＰ（Ｉｎｔｅｒｎｅｔ  Ｐｒｏｔｏｃｏｌ）アドレス情報または位置情報を含む請求項２に記載の方法。
【請求項４】
前記ＵＥから送信された接続要求メッセージを受信した後であって、前記ＵＥに対し設定した緊急番号リストを前記ＵＥに配信する前に、
通信チャネルの確立成功を前記ＵＥに通知するための接続応答メッセージを前記ＵＥに送信することをさらに含む請求項２または３に記載の方法。
【請求項５】
前記ＵＥに対し設定した緊急番号リストを前記ＵＥに配信することは、
前記ＵＥから前記通信チャネルに基づいて送信された緊急番号リスト要求情報付き認証要求メッセージを受信すると、前記通信チャネルに基づいて、設定済み緊急番号リスト付き認証応答メッセージを前記ＵＥに送信することを含む請求項４に記載の方法。
【請求項６】
前記認証要求メッセージを受信した後であって、前記認証応答メッセージを前記ＵＥに送信する前に、
前記ＵＥの身分認証を認証サーバにさせるための認証要求メッセージを前記認証サーバに送信することと、
身分の認証に成功すると、セッション確立要求メッセージをＰＧＷに送信することをさらに含み、
前記の前記認証応答メッセージを前記ＵＥに送信することは、
前記ＰＧＷから送信されたセッション確立応答メッセージを受信した後に、前記通信チャネルに基づいて、前記認証応答メッセージを前記ＵＥに送信することを含み、
前記のネットワーク側機器は、
ｅＰＤＧ（Ｅｖｏｌｖｅｄ  Ｐａｃｋｅｔ  Ｄａｔａ  Ｇａｔｅｗａｙ）である請求項５に記載の方法。
【請求項７】
プロセッサと、メモリと、前記メモリに格納されて前記プロセッサで実行可能なコンピュータプログラムを含む緊急番号設定装置において、
前記コンピュータプログラムは、前記プロセッサによって実行されると、請求項１〜６のいずれか一項に記載の緊急番号設定方法のステップを実現する緊急番号設定装置。
【請求項８】
プロセッサによって実行されると、請求項１〜６のいずれか一項に記載の緊急番号設定方法のステップを実現するコンピュータプログラムが格納されているコンピュータ読み取り可能な記憶媒体。
【発明の詳細な説明】
【技術分野】
【０００１】
本願は、２０１７年５月４日に中国特許庁に提出された中国特許出願２０１７１０３０９２９３．５の優先権、および、２０１６年１２月８日に中国特許庁に提出された中国特許出願２０１６１１１２２６３３．５の優先権を主張し、その全ての内容が援用によりここに取り込まれる。
【０００２】
本開示は、ネットワーク技術分野に係り、特に緊急番号設定方法、取得方法および装置に係る。
【背景技術】
【０００３】
ＬＴＥ（Ｌｏｎｇ  Ｔｅｒｍ  Ｅｖｏｌｕｔｉｏｎ）のカバレッジの迅速な発展およびＷｉＦｉ（ＷＩｒｅｌｅｓｓ−ＦＩｄｅｌｉｔｙ）アクセスの広範な普及につれて、事業者による音声サービスの提供手段は、今までの単純なＣＳ（Ｃｉｒｃｕｉｔ  Ｓｗｉｔｃｈ）ドメインの音声から、現在のＬＴＥ、ＷｉＦｉ、ＣＳなどのマルチアクセス音声まで拡張している。ユーザがどのような手段で音声呼出サービスを行っても、緊急呼出サービスは、事業者が提供しなければならない重要なサービスの一つである。したがって、ＶｏＷｉＦｉ（Ｖｏｉｃｅ  ｏｖｅｒ  ＷｉＦｉ）サービスも、ユーザに緊急呼出サービスを提供する必要がある。
【０００４】
現在、ＶｏＷｉＦｉサービスは、ＩＭＳ（ＩＰ  Ｍｕｌｔｉｍｅｄｉａ  Ｓｕｂｓｙｓｔｅｍ）に基づいて確立されている。ＩＭＳでは、緊急呼出サービスは、以下の２方式で実行される。
端末が識別可能な緊急呼出である方式１として、ユーザから呼出番号が入力されると、端末は、入力された呼出番号が緊急番号であると直ちに識別でき、緊急呼出の関連フローを迅速に実行する。
端末が識別不可能な緊急呼出である方式２として、ユーザから呼出番号が入力されると、端末は、入力された呼出番号が緊急番号であると識別できず、通常の呼出フローで呼出を行うが、ネットワーク側によって当該呼出番号が緊急番号であると判断してから、ネットワーク側から特定の応答メッセージを送信することによって、現在の呼出番号が緊急番号であると端末に知らせた後に、端末は緊急呼出フローの実行ができるようになる。
【０００５】
これによって、ＶｏＷｉＦｉに基づいて緊急呼出サービスを起動する場合、端末が迅速に応答して緊急呼出フローを実行できると保証するには、なるべく端末が緊急番号を識別可能であると保証することが分かる。ユーザから呼出番号が入力されると、端末が、当該呼出番号が緊急番号であると直ちに識別できるポイントとして、端末は、内部に記憶されている緊急番号リストから、ユーザから入力された呼出番号が緊急番号であると検索できることである。
【０００６】
現在、ＶｏＷｉＦｉサービスに対し、端末に対し緊急番号リストを設定する方式は、端末の出荷時に端末のローカルに予め緊急番号リストを設定する方式と、ユーザによってＳＩＭ（Ｓｕｂｓｃｒｉｂｅｒ  Ｉｄｅｎｔｉｔｙ  Ｍｏｄｕｌｅ）に予め緊急番号リストを記憶する方式との２種類がある。当該２種類の緊急番号設定手段は、ともに初期の固定設定方式である。このような固定設定方式を用いた場合、ユーザのローミング中に、ユーザからローミング先の緊急番号を入力した後に、端末が固定設定の緊急番号リストからローミング先の緊急番号を検索できない問題が生じる可能性がある。たとえば、１人の中国のユーザがアメリカでのローミング中にローミング先の警察通報電話９１１をかけた場合、端末の内部に設定された緊急番号リストに記憶されるホームの警察通報電話が１１０であるため、端末は、ユーザから入力された呼出番号が緊急番号であると識別できず、通常の呼出フローで今回の緊急呼出サービスを実行するしかできない。
【０００７】
以上の記載をまとめると、関連技術の緊急番号設定手段では、端末機器のローミングに対応できない。  
【発明の概要】
【発明が解決しようとする課題】
【０００８】
本開示は、関連技術の緊急番号設定手段では端末機器のローミングに適応できないという問題を解決するために、緊急番号設定方法、取得方法および装置を提供する。
【課題を解決するための手段】
【０００９】
本願の実施例における緊急番号設定方法において、ユーザ端末ＵＥが無線ＬＡＮにアクセスした後に、ネットワーク側機器が前記ＵＥの位置情報を特定することと、前記ＵＥの位置情報に対応する緊急番号リストを前記ＵＥに配信することとを含む。
【００１０】
選択可能に、前記方法において、特定した前記ＵＥの位置情報、および、異なる地理位置情報にそれぞれ対応する所定の緊急番号リストに基づいて、ＵＥに対し緊急番号リストを設定することをさらに含み、前記の前記ＵＥの位置情報に対応する緊急番号リストを前記ＵＥに配信することは、前記ＵＥに対し設定した緊急番号リストを前記ＵＥに配信することを含む。
【００１１】
選択可能に、前記のネットワーク側機器が前記ＵＥの位置情報を特定することは、前記ＵＥから送信された接続確立メッセージを受信することと、前記接続確立メッセージの中の前記ＵＥの情報に基づいて、前記ＵＥの位置情報を特定することとを含む。
【００１２】
選択可能に、前記接続確立メッセージは、接続要求メッセージまたは認証要求メッセージである。
【００１３】
選択可能に、前記ＵＥの情報は、前記ＵＥのＩＰアドレス情報または位置情報を含む。
【００１４】
選択可能に、前記ＵＥから送信された接続要求メッセージを受信した後であって、前記ＵＥに対し設定した緊急番号リストを前記ＵＥに配信する前に、通信チャネルの確立成功を前記ＵＥに通知するための接続応答メッセージを前記ＵＥに送信することをさらに含む。
【００１５】
選択可能に、前記ＵＥに対し設定した緊急番号リストを前記ＵＥに配信することは、前記ＵＥから前記通信チャネルに基づいて送信された緊急番号リスト要求情報付き認証要求メッセージを受信すると、前記通信チャネルに基づいて、設定済み緊急番号リスト付き認証応答メッセージを前記ＵＥに送信することを含む。
【００１６】
選択可能に、前記認証要求メッセージを受信した後であって、前記認証応答メッセージを前記ＵＥに送信する前に、前記ＵＥの身分認証を認証サーバにさせるための認証要求メッセージを前記認証サーバに送信することと、身分の認証に成功すると、セッション確立要求メッセージをＰＧＷに送信することをさらに含み、前記の前記認証応答メッセージを前記ＵＥに送信することは、前記ＰＧＷから送信されたセッション確立応答メッセージを受信した後に、前記通信チャネルに基づいて、前記認証応答メッセージを前記ＵＥに送信することを含む。
【００１７】
選択可能に、前記のネットワーク側機器は、ｅＰＤＧ（Ｅｖｏｌｖｅｄ  Ｐａｃｋｅｔ  Ｄａｔａ  Ｇａｔｅｗａｙ）である。
【００１８】
本願の実施例における緊急番号取得方法において、ユーザ端末ＵＥが無線ＬＡＮにアクセスした後に、前記ＵＥの位置情報に対応する緊急番号リストをネットワーク側機器から受信することを含む。
【００１９】
選択可能に、前記のネットワーク側機器から前記ＵＥの位置情報に基づいて配信された緊急番号リストを受信することは、前記ネットワーク側機器との間で確立された通信チャネルに基づいて、緊急番号リスト要求情報付き認証要求メッセージを前記ネットワーク側機器に送信することと、前記ネットワーク側機器から前記通信チャネルに基づいて送信された設定済み緊急番号リスト付き認証応答メッセージを受信することとを含む。
【００２０】
選択可能に、前記方法において、緊急番号リストに基づいて前記ＵＥの緊急呼出サービスを処理するために、前記緊急番号リストを記憶することをさらに含む。
【００２１】
本願の実施例における緊急番号設定装置は、ユーザ端末ＵＥが無線ＬＡＮにアクセスした後に、前記ＵＥの位置情報を特定することに用いられる特定モジュールと、前記ＵＥの位置情報に対応する緊急番号リストを前記ＵＥに配信することに用いられる送信モジュールとを含む。
【００２２】
選択可能に、前記装置は、特定した前記ＵＥの位置情報、および、異なる地理位置情報にそれぞれ対応する所定の緊急番号リストに基づいて、前記ＵＥに対し緊急番号リストを設定することに用いられる設定モジュールをさらに含み、前記送信モジュールは、具体的に、前記ＵＥに対し設定した緊急番号リストを前記ＵＥに配信することに用いられる。
【００２３】
選択可能に、前記装置は、前記ＵＥから送信された接続確立メッセージを受信することに用いられる受信モジュールをさらに含み、前記特定モジュールは、具体的に、前記ＵＥから送信された接続確立メッセージが前記受信モジュールによって受信された後に、前記接続確立メッセージの中の前記ＵＥの情報に基づいて、前記ＵＥの位置情報を特定することに用いられる。
【００２４】
選択可能に、前記受信モジュールは、具体的に、前記ＵＥから送信された接続要求メッセージまたは認証要求メッセージを受信することに用いられ、前記特定モジュールは、具体的に、前記ＵＥから送信された接続要求メッセージまたは認証要求メッセージが前記受信モジュールによって受信された後に、前記接続要求メッセージまたは認証要求メッセージの中の前記ＵＥの情報に基づいて、前記ＵＥの位置情報を特定することに用いられる。
【００２５】
選択可能に、前記特定モジュールは、具体的に、前記ＵＥから送信された接続要求メッセージまたは認証要求メッセージが前記受信モジュールによって受信された後に、前記接続要求メッセージまたは認証要求メッセージの中の前記ＵＥのＩＰアドレス情報または位置情報に基づいて、前記ＵＥの位置情報を特定することに用いられる。
【００２６】
選択可能に、前記送信モジュールは、さらに、前記ＵＥから送信された接続要求メッセージが前記受信モジュールによって受信された後であって、前記ＵＥに対し設定した緊急番号リストを前記ＵＥに配信する前に、通信チャネルの確立成功を前記ＵＥに通知するための接続応答メッセージを前記ＵＥに送信することに用いられる。
【００２７】
選択可能に、前記受信モジュールは、さらに、前記ＵＥから前記通信チャネルに基づいて送信された緊急番号リスト要求情報付き認証要求メッセージを受信することに用いられ、前記送信モジュールは、さらに、前記通信チャネルに基づいて、設定済み緊急番号リスト付き認証応答メッセージを前記ＵＥに送信することに用いられる。
【００２８】
選択可能に、前記送信モジュールは、さらに、前記認証要求メッセージが前記受信モジュールによって受信された後であって、前記認証応答メッセージを前記ＵＥに送信する前に、前記ＵＥの身分認証を認証サーバにさせるための認証要求メッセージを前記認証サーバに送信することと、身分の認証に成功すると、セッション確立要求メッセージをＰＧＷに送信することと、前記ＰＧＷから送信されたセッション確立応答メッセージが前記受信モジュールによって受信された後に、前記通信チャネルに基づいて、前記認証応答メッセージを前記ＵＥに送信することとに用いられる。
【００２９】
本願の実施例における緊急番号取得装置は、無線ＬＡＮにアクセスすることに用いられるアクセスモジュールと、無線ＬＡＮにアクセスした後に、前記ＵＥの位置情報に対応する緊急番号リストをネットワーク側機器から受信することに用いられる受信モジュールとを含む。
【００３０】
選択可能に、前記装置は、前記ネットワーク側機器との間で確立された通信チャネルに基づいて、緊急番号リスト要求情報付き認証要求メッセージを前記ネットワーク側機器に送信することに用いられる送信モジュールをさらに含み、前記受信モジュールは、具体的に、前記ネットワーク側機器から前記通信チャネルに基づいて送信された設定済み緊急番号リスト付き認証応答メッセージを受信することに用いられる。
【００３１】
選択可能に、前記装置は、緊急番号リストに基づいて前記ＵＥの緊急呼出サービスを処理するために、前記緊急番号リストを記憶することに用いられる記憶モジュールをさらに含む。
【００３２】
本願の実施例における緊急番号設定装置は、プロセッサと、メモリと、前記メモリに格納されて前記プロセッサで実行可能なコンピュータプログラムを含み、前記コンピュータプログラムは、前記プロセッサによって実行されると、上記緊急番号設定方法のステップを実現する。
【００３３】
本願の実施例における緊急番号取得装置は、プロセッサと、メモリと、前記メモリに格納されて前記プロセッサで実行可能なコンピュータプログラムを含み、前記コンピュータプログラムは、前記プロセッサによって実行されると、上記緊急番号取得方法のステップを実現する。
【００３４】
本願の実施例におけるコンピュータ読み取り可能な記憶媒体において、プロセッサによって実行されると、上記緊急番号設定方法のステップを実現するコンピュータプログラムが格納されている。
【００３５】
本願の実施例におけるコンピュータ読み取り可能な記憶媒体において、プロセッサによって実行されると、上記緊急番号取得方法のステップを実現するコンピュータプログラムが格納されている。
【発明の効果】
【００３６】
本願の実施例において、異なる地理位置に対応する緊急番号リストをネットワーク側機器に予め設定することによって、端末が無線ＬＡＮにアクセスした後に、ネットワーク側機器は、端末の位置情報を特定してから、当該位置情報に対応する緊急番号リストを当該端末に配信することができる。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【図面の簡単な説明】
【００３７】
【図１】本願の実施例１における緊急番号設定方法のフローチャートである。
【図２】本願の実施例２における緊急番号設定方法のフローチャートである。
【図３】本願の実施例４における緊急番号設定方法のフローチャートである。
【図４】本願の実施例７における緊急番号取得方法のフローチャートである。
【図５】本願の実施例８における緊急番号設定装置の構造図である。
【図６】本願の実施例９における緊急番号取得装置の構造図である。
【発明を実施するための形態】
【００３８】
本願の実施例において、異なる地理位置に対応する緊急番号リストをネットワーク側機器に予め設定することによって、端末が無線ＬＡＮにアクセスした後に、ネットワーク側機器は、端末の位置情報を特定してから、当該位置情報に対応する緊急番号リストを当該端末に配信することができる。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【００３９】
以下、明細書の図面を参照して本願の実施例をさらに詳細に記載する。本願の各実施例において、ネットワーク側機器が前記ＵＥの位置情報を特定することは、前記ＵＥから送信された接続確立メッセージを受信することと、前記接続確立メッセージの中の前記ＵＥの情報に基づいて、前記ＵＥの位置情報を特定することとを含む。ここで、前記接続確立メッセージは、接続要求メッセージまたは認証要求メッセージであり、前記ＵＥの情報は、ＵＥのＩＰ（Ｉｎｔｅｒｎｅｔ  Ｐｒｏｔｏｃｏｌ）アドレス情報またはＵＥの位置情報を含む。
【００４０】
＜実施例１＞
図１は、本願の実施例１における緊急番号設定方法のフローチャートである。当該方法は、下記ステップＳ１０１〜Ｓ１０２を含む。
【００４１】
ステップＳ１０１において、ユーザ端末ＵＥが無線ＬＡＮにアクセスした後に、ネットワーク側機器は、前記ＵＥの位置情報を特定する。
【００４２】
本開示の実施例における緊急番号設定方法は、ネットワーク側機器に応用する。当該ネットワーク側機器は、主にゲートウェイ機器であるが、ルータ機器やスイッチ機器などほかの機器が除外されない。本開示のコアコンセプトに対し、ゲートウェイは、本開示の利点を十分に発揮させることができるが、本開示の唯一な表現形式ではない。たとえばＵＥが無線ＬＡＮにアクセスした後にＶｏＷｉＦｉに基づいて緊急呼出サービスを起動させる場合、前記ゲートウェイ機器は、ｅＰＤＧ（Ｅｖｏｌｖｅｄ  Ｐａｃｋｅｔ  Ｄａｔａ  Ｇａｔｅｗａｙ）である。
【００４３】
前記ネットワーク側機器は、前記ＵＥの位置情報を特定することができる。前記ネットワーク側機器によって特定される位置情報は、ある国であってもよく、ある国の具体的な地区まで特定されてもよい。しかし、たとえば中国の内陸地区と中国の香港地区の緊急番号が異なるなど、同一国の異なる地区の緊急番号が異なる可能性があるため、選択可能に、前記ネットワーク側機器によって特定されるＵＥの位置情報は、当該ＵＥが位置する国の具体的な地区まで具体的に特定される。
【００４４】
ステップＳ１０２において、前記ＵＥの位置情報に対応する緊急番号リストを前記ＵＥに配信する。
【００４５】
前記ネットワーク側機器は、ＵＥの位置情報を特定すると、前記ＵＥの位置情報に対応する緊急番号リストを前記ＵＥに配信する。具体的に、当該位置情報に対応する緊急番号リストは、ネットワーク側機器のローカルに保存されてもよく、ほかのネットワーク側機器に保存されてもよい。
【００４６】
当該位置情報に対応する緊急番号リストが当該ネットワーク側機器のローカルに保存されている場合、ネットワーク側機器は、当該位置情報に対応する緊急番号リストを直接前記ＵＥに配信する。当該位置情報に対応する緊急番号リストがほかのネットワーク側機器に保存されている場合、ネットワーク側機器は、当該位置情報に対応する緊急番号リストを取得する要求をほかのネットワーク側機器に送信する。ほかのネットワーク側機器は、当該要求を受信すると、当該位置情報に対応する緊急番号リストを前記ネットワーク側機器に送信する。前記ネットワーク側機器は、受信したＵＥの位置情報に対応する緊急番号リストをＵＥに配信する。
【００４７】
本開示の実施例において、ＵＥが無線ＬＡＮにアクセスした後に、ネットワーク側機器がＵＥの位置情報を特定し、当該ＵＥの位置情報に対応する緊急番号リストを当該ＵＥに送信する。ユーザのローミング中であっても、ＵＥは、ローミング先の無線ＬＡＮにアクセスした後にローミング先の緊急番号リストを取得することができ、緊急番号リストの動的取得という目的が達成される。
【００４８】
＜実施例２＞
緊急番号リストの取得効率を高めるために、上記実施例を基に、図２にフローチャートが示される本願の実施例２における緊急番号設定方法において、下記ステップＳ２０１〜Ｓ２０３を含む。
【００４９】
ステップＳ２０１において、ユーザ端末ＵＥが無線ＬＡＮにアクセスした後に、ｅＰＤＧは、ＵＥの位置情報を特定する。ここで、ｅＰＤＧには、異なる地理位置に対応する緊急番号リストが予め設定されている。
【００５０】
具体的な実施において、ＵＥは、無線ＬＡＮにアクセスした後に、ＵＥのＩＰアドレス情報が含まれる接続要求メッセージをｅＰＤＧに送信する。ここで、ＵＥのＩＰアドレス情報は、ＵＥが無線ＬＡＮにアクセスする際にネットワーク側機器から自動的に割り当てられるものである。
【００５１】
さらに、ｅＰＤＧは、ＵＥから送信されてＩＰアドレス情報が含まれる接続要求メッセージを受信すると、ＵＥのＩＰアドレス情報に基づいて、ＵＥの現在の位置情報を特定する。しかも、ｅＰＤＧは、ＵＥから送信された接続要求メッセージを受信すると、通信チャネルの確立成功をＵＥに通知するための接続応答メッセージをＵＥに送信する。後に、ＵＥとｅＰＤＧは、確立済みの通信チャネルに基づいて認証プロセスを完成させる。
【００５２】
ステップＳ２０２において、特定したＵＥの位置情報、および、異なる地理位置情報にそれぞれ対応する所定の緊急番号リストに基づいて、ＵＥに対し緊急番号リストを設定する。
【００５３】
具体的な実施において、ｅＰＤＧは、ＵＥの現在の位置情報を特定すると、内部に予め設定された異なる地理情報に対応する緊急番号リストを検索することによって、ＵＥに対し現在の位置情報に対応する緊急番号リストを設定する。
【００５４】
ステップＳ２０３において、ＵＥに対し設定した緊急番号リストをＵＥに配信する。
【００５５】
具体的な実施において、ｅＰＤＧは、緊急番号リストを要求するメッセージをＵＥから受信すると、確立済みの通信チャネルに基づいて、当該緊急番号リストをＵＥに配信する。
【００５６】
具体的に、ＵＥから緊急番号リストを要求するメッセージは、ＵＥからｅＰＤＧに送信される認証要求メッセージに付帯される。ｅＰＤＧは、ＵＥから緊急番号リストを要求するための情報が付帯された認証要求メッセージを受信すると、認証応答メッセージをＵＥに送信する。ここで、認証応答メッセージには、ＵＥの現在の位置情報に対応する緊急番号リストが付帯される。
【００５７】
ここで、ｅＰＤＧが受信した認証要求メッセージには、ユーザの身分識別情報（たとえばＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）など）も付帯される。
【００５８】
具体的な実施において、ｅＰＤＧは、認証要求メッセージを受信した後であって、認証応答メッセージをＵＥに送信する前に、ＵＥの身分認証を認証サーバにさせるための認証要求メッセージを認証サーバに送信する。ここで、認証サーバは、ＡＡＡサーバ（Ａｕｔｈｅｎｔｉｃａｔｉｏｎ  Ａｕｔｈｏｒｉｚａｔｉｏｎ  Ａｃｃｏｕｎｔｉｎｇ  Ｓｅｒｖｅｒ）である。ここで、ＡＡＡサーバによるＵＥの身分認証プロセスは、従来技術の標準化フローを採用するため、詳細に記載しない。
【００５９】
ｅＰＤＧは、認証サーバから送信された認証応答メッセージを受信すると、認証応答メッセージに身分認証成功情報が付帯されるのであれば、ＵＥとＰＧＮ（Ｐａｃｋｅｔ  Ｄａｔａ  Ｎｅｔｗｏｒｋ）との接続関係確立のために、さらにセッション確立要求メッセージをＰＧＷに送信する。ここで、ＵＥに対しセッションを確立するためのｅＰＤＧからＰＧＷへの要求プロセスは、従来技術の標準化フローを採用するため、詳細に記載しない。
【００６０】
ｅＰＤＧは、ＰＧＷから送信されたセッション確立応答メッセージを受信すると、ＵＥとの間で確立された通信チャネルに基づいて、特定済みの位置情報に対応する緊急番号リストが付帯される認証応答メッセージをＵＥに送信する。
【００６１】
ここで、本願の実施例における方法を実現するための実行エンティティは、ｅＰＤＧに限定されず、上記機能を実現することのできるコアネットワークにおけるあらゆるネットワーク側機器であってもよい。
【００６２】
本願の実施例において、異なる地理位置に対応する緊急番号リストをネットワーク側機器に予め設定することによって、端末が無線ＬＡＮにアクセスした後に、ネットワーク側機器は、端末の位置情報を特定してから、当該位置情報に対応する緊急番号リストを当該端末に配信することができる。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【００６３】
＜実施例３＞
上記実施例を基に、本願の実施例において、ＵＥは、無線ＬＡＮにアクセスした後に、ＵＥの位置情報が含まれる接続要求メッセージをｅＰＤＧに送信する。ｅＰＤＧは、ＵＥの位置情報が含まれる接続要求メッセージをＵＥから受信すると、当該位置情報を、ＵＥの現在の位置情報として特定する。ｅＰＤＧは、ＵＥから送信された接続要求メッセージを受信すると、通信チャネルの確立成功をＵＥに通知するための接続応答メッセージをＵＥに送信する。後に、ＵＥとｅＰＤＧは、確立済みの通信チャネルに基づいて認証プロセスを完成させる。
【００６４】
また、本願の実施例において、ＵＥからｅＰＤＧに送信される認証要求メッセージには、ＵＥの情報が含まれてもよい。ｅＰＤＧは、受信した認証要求メッセージの中のＵＥの情報に基づいて、ＵＥの位置情報を特定することができる。
【００６５】
具体的に、ｅＰＤＧは、ＵＥから送信されＩＰアドレス情報が含まれる認証要求メッセージを受信すると、ＵＥのＩＰアドレス情報に基づいて、ＵＥの現在の位置情報を特定する。しかも、ｅＰＤＧは、当該認証要求メッセージに付帯される緊急番号リスト要求用の情報に基づいて、認証応答メッセージをＵＥに送信する。ここで、認証応答メッセージには、ＵＥの現在の位置情報に対応する緊急番号リストが付帯される。
【００６６】
または、認証要求メッセージには、ＵＥの位置情報が含まれる。ｅＰＤＧは、ＵＥから送信されＵＥの位置情報が含まれる認証要求メッセージを受信すると、当該位置情報を、ＵＥの現在の位置情報として特定する。しかも、ｅＰＤＧは、当該認証要求メッセージに付帯される緊急番号リスト要求用の情報に基づいて、認証応答メッセージをＵＥに送信する。ここで、認証応答メッセージには、ＵＥの現在の位置情報に対応する緊急番号リストが付帯される。
【００６７】
上記接続要求メッセージと認証要求メッセージに含まれるＵＥの位置情報は、ＵＥ自身によって特定したＵＥの位置情報である。ＵＥが特定した自身の現在の位置情報は、自身が現在アクセスする無線ＬＡＮに対応するセルラーネットワークに基づいて特定した現在の位置情報であるか、取得した自身の現在のＩＰアドレス情報に基づいて特定した現在の位置情報であるか、自身に設定されたＧＰＳ（Ｇｌｏｂａｌ  Ｐｏｓｉｔｉｏｎｉｎｇ  Ｓｙｓｔｅｍ）に基づいて特定した現在の位置情報である。
【００６８】
ここで、ＵＥが現在アクセスする無線ＬＡＮに対応するセルラーネットワークに基づいて位置情報を特定するプロセス、前記ＵＥが自身の現在のＩＰアドレスに基づいて位置情報を特定するプロセス、および、ＧＰＳによる位置情報特定プロセスは、いずれも従来技術であり、本願の実施例において上記プロセスを繰り返して記載しない。
【００６９】
ここで、本願の実施例における方法を実現するための実行エンティティは、ｅＰＤＧに限定されず、上記機能を実現することのできるコアネットワークにおけるあらゆるネットワーク側機器であってもよい。
【００７０】
本願の実施例において、ネットワーク側機器は、ＵＥから送信された接続確立メッセージに含まれるＵＥの情報に基づいて、ＵＥの位置情報を特定し、当該位置情報に対応する緊急番号リストを当該端末に配信する。また、当該ＵＥの情報は、ＵＥの位置情報であってもよい。この場合、ネットワーク側機器が当該位置情報を直接ＵＥの位置情報とすることによって、ネットワーク側機器によるＵＥの位置情報の特定の効率を高め、ネットワーク側機器の計算リソースを節約するため、ＵＥは、迅速に緊急呼出フローを実行することができる。
【００７１】
＜実施例４＞
図３は、本願の実施例４における緊急番号設定方法のフローチャートを示す。当該フローチャートには、ユーザのローミング中にネットワーク側機器からユーザ端末に対しローミング先の緊急番号リストを設定するプロセスが具体的に記載され、以下のステップＳ３０１〜Ｓ３０６を含む。
【００７２】
ステップＳ３０１において、ＵＥは、ローミング先の無線ＬＡＮにアクセスした後に、ＩＫＡ  ＳＡ（Ｉｎｔｅｒｎｅｔ  Ｋｅｙ  Ｅｘｃｈａｎｇｅ  Ｓｅｃｕｒｉｔｙ  Ａｌｌｉａｎｃｅ）の協議をｅＰＤＧに送信し、すなわち接続要求（ＩＫＥ＿ＩＮＩＴ＿Ｒｅｑｕｅｓｔ）メッセージをｅＰＤＧに送信する。ここで、ＩＫＥ＿ＩＮＩＴ＿Ｒｅｑｕｅｓｔメッセージには、ＵＥのローカルＩＰアドレス情報（Ｌｏｃａｌ  ＩＰ）が含まれる。
【００７３】
ここで、ｅＰＤＧには、異なる地理位置に対応する緊急番号リストが予め設定されている。ＩＫＥ＿ＩＮＩＴ＿Ｒｅｑｕｅｓｔメッセージには、ＵＥのＬｏｃａｌ  ＩＰを含むほか、ＳＡ（Ｓｅｃｕｒｉｔｙ  Ａｌｌｉａｎｃｅ）  Ｐｒｏｐｏｓａｌなどの協議情報も含む。
【００７４】
ステップＳ３０２において、ｅＰＤＧは、ＩＫＥ＿ＩＮＩＴ＿Ｒｅｑｕｅｓｔメッセージを受信すると、当該メッセージの中のＬｏｃａｌ  ＩＰ情報に基づいて、ＵＥの現在の位置情報を特定し、当該メッセージに付帯される協議情報に基づいて、ＩＫＡ  ＳＡに関する暗号化アルゴリズムを特定し、接続応答（ＩＫＥ＿ＩＮＩＴ＿Ｒｅｓｐｏｎｓｅ）メッセージをＵＥに送信する。
【００７５】
ここで、ＩＫＥ＿ＩＮＩＴ＿Ｒｅｓｐｏｎｓｅメッセージは、通信チャネルの確立成功をＵＥに通知するためのものである。当該通信チャネルは、ＩＫＥｖ２（Ｉｎｔｅｒｎｅｔ  Ｋｅｙ  Ｅｘｃｈａｎｇｅ  ｖ２）チャネルである。
【００７６】
ステップＳ３０３において、ＵＥは、確立済みの通信チャネルに基づいて、緊急番号リストを要求する情報が含まれる認証要求（ＩＫＥ＿ＡＵＴＨ＿Ｒｅｑｕｅｓｔ）メッセージをｅＰＤＧに送信する。
【００７７】
ここで、ＩＫＥ＿ＡＵＴＨ＿Ｒｅｑｕｅｓｔメッセージには、ユーザの身分識別情報も含まれている。
【００７８】
ステップＳ３０４において、ｅＰＤＧは、ＩＫＥ＿ＡＵＴＨ＿Ｒｅｑｕｅｓｔメッセージを受信すると、ＵＥの身分認証をＡＡＡサーバにさせるための認証要求メッセージをＡＡＡサーバに送信する。
【００７９】
ここで、ＡＡＡサーバによるＵＥの身分認証プロセスは、従来技術の標準化フローを採用するため、ここでは詳細に記載しない。
【００８０】
ステップＳ３０５において、身分認証に成功し、すなわちｅＰＤＧは、認証サーバから送信された認証応答メッセージを受信すると、ＵＥとＰＧＮの接続関係を確立するためのセッション確立要求メッセージをＰＧＷに送信する。
【００８１】
ここで、ＵＥに対しセッションを確立するｅＰＤＧからＰＧＷへの要求プロセスは、従来技術の標準化フローを採用するため、ここでは詳細に記載しない。
【００８２】
ステップＳ３０６において、ｅＰＤＧは、ＰＧＷから送信されたセッション確立応答メッセージを受信すると、確立済みの通信チャネルに基づいて、ＵＥの所在地に対応する緊急番号リストが付帯される認証応答（ＩＫＥ＿ＡＵＴＨ＿Ｒｅｓｐｏｎｓｅ）メッセージをＵＥに送信する。
【００８３】
本願の実施例において、異なる地理位置に対応する緊急番号リストをｅＰＤＧに予め設定することによって、端末がローミング先の無線ＬＡＮにアクセスした後に、ｅＰＤＧは、ＵＥのＬｏｃａｌ  ＩＰに基づいてユーザの現在の所在地の位置情報を特定し、当該位置情報に対応する緊急番号リストを当該端末に配信することができる。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【００８４】
＜実施例５＞
上記各実施例を基に、本願の実施例において、ネットワーク側機器からユーザ端末に対しローミング先の緊急番号リストを設定する別のプロセスを提供する。
【００８５】
ＵＥは、ローミング先の無線ＬＡＮにアクセスした後に、ＩＫＡ  ＳＡの協議をｅＰＤＧに送信し、すなわち、  接続要求（ＩＫＥ＿ＩＮＩＴ＿Ｒｅｑｕｅｓｔ）メッセージをｅＰＤＧに送信する。ここで、ｅＰＤＧには、異なる地理位置に対応する緊急番号リストが予め設定されている。ＩＫＥ＿ＩＮＩＴ＿Ｒｅｑｕｅｓｔメッセージには、ＵＥの位置情報を含むほか、ＳＡ  Ｐｒｏｐｏｓａｌなどの協議情報も含む。
【００８６】
ＵＥの位置情報は、ＵＥ自身によって特定したＵＥの位置情報である。ＵＥが特定した自身の現在の位置情報は、自身が現在アクセスする無線ＬＡＮに対応するセルラーネットワークに基づいて特定した現在の位置情報であるか、取得した自身の現在のＩＰアドレス情報に基づいて特定した現在の位置情報であるか、自身に設定されたＧＰＳ（Ｇｌｏｂａｌ  Ｐｏｓｉｔｉｏｎｉｎｇ  Ｓｙｓｔｅｍ）に基づいて特定した現在の位置情報である。
【００８７】
ｅＰＤＧは、ＩＫＥ＿ＩＮＩＴ＿Ｒｅｑｕｅｓｔメッセージを受信すると、当該メッセージの中の位置情報をＵＥの現在の位置情報として特定し、当該メッセージに付帯される協議情報に基づいて、ＩＫＡ  ＳＡに関する暗号化アルゴリズムを特定し、接続応答（ＩＫＥ＿ＩＮＩＴ＿Ｒｅｓｐｏｎｓｅ）メッセージをＵＥに送信する。ここで、ＩＫＥ＿ＩＮＩＴ＿Ｒｅｓｐｏｎｓｅメッセージは、通信チャネルの確立成功をＵＥに通知するためのものである。当該通信チャネルは、ＩＫＥｖ２チャネルである。
【００８８】
ＵＥは、確立済みの通信チャネルに基づいて、緊急番号リストを要求する情報が含まれる認証要求（ＩＫＥ＿ＡＵＴＨ＿Ｒｅｑｕｅｓｔ）メッセージをｅＰＤＧに送信する。ここで、ＩＫＥ＿ＡＵＴＨ＿Ｒｅｑｕｅｓｔメッセージには、ユーザの身分識別情報も含まれている。
【００８９】
また、ＩＫＥ＿ＡＵＴＨ＿Ｒｅｑｕｅｓｔメッセージには、前記ＵＥのＬｏｃａｌ  ＩＰ情報が含まれる。ｅＰＤＧは、ＩＫＥ＿ＡＵＴＨ＿Ｒｅｑｕｅｓｔメッセージを受信すると、当該メッセージでの前記ＵＥのＬｏｃａｌ  ＩＰ情報に基づいて、ＵＥの現在の位置情報を特定する。または、ＩＫＥ＿ＡＵＴＨ＿Ｒｅｑｕｅｓｔメッセージには、前記ＵＥの位置情報が含まれてもよい。ｅＰＤＧは、ＩＫＥ＿ＡＵＴＨ＿Ｒｅｑｕｅｓｔメッセージを受信すると、当該メッセージの中の位置情報をＵＥの現在の位置情報として特定する。
【００９０】
ｅＰＤＧは、ＩＫＥ＿ＡＵＴＨ＿Ｒｅｑｕｅｓｔメッセージを受信すると、ＵＥの身分認証をＡＡＡサーバにさせるための認証要求メッセージをＡＡＡサーバに送信する。ここで、ＡＡＡサーバによるＵＥの身分認証プロセスは、従来技術の標準化フローを採用するため、ここでは詳細に記載しない。
【００９１】
身分認証に成功し、すなわちｅＰＤＧは、認証サーバから送信された認証応答メッセージを受信すると、ＵＥとＰＧＮの接続関係を確立するためのセッション確立要求メッセージをＰＧＷに送信する。ここで、ＵＥに対しセッションを確立するｅＰＤＧからＰＧＷへの要求プロセスは、従来技術の標準化フローを採用するため、ここでは詳細に記載しない。
【００９２】
ｅＰＤＧは、ＰＧＷから送信されたセッション確立応答メッセージを受信すると、確立済みの通信チャネルに基づいて、ＵＥの所在地に対応する緊急番号リストが付帯される認証応答（ＩＫＥ＿ＡＵＴＨ＿Ｒｅｓｐｏｎｓｅ）メッセージをＵＥに送信する。
【００９３】
本願の実施例において、ネットワーク側機器は、ＵＥから送信された接続確立メッセージに含まれるＵＥの情報に基づいて、ＵＥの位置情報を特定し、当該位置情報に対応する緊急番号リストを当該端末に配信することができる。また、当該ＵＥの情報は、ＵＥの位置情報であってもよい。この場合、ネットワーク側機器が当該位置情報を直接ＵＥの位置情報とすることによって、ネットワーク側機器によるＵＥの位置情報の特定の効率を高め、ネットワーク側機器の計算リソースを節約するため、ＵＥは、迅速に緊急呼出フローを実行することができる。
【００９４】
＜実施例６＞
本願の実施例において、ＵＥは、無線ＬＡＮにアクセスした後に、前記ＵＥの位置情報に対応する緊急番号リストをネットワーク側機器から受信する。
【００９５】
本開示の実施例における緊急番号取得方法は、ＵＥに応用する。前記ＵＥは、携帯電話、タブレットパソコン、ＰＤＡなど、無線ＬＡＮにアクセスでき、ネットワーク側機器から配信された緊急番号リストの受信ができる機器である。
【００９６】
前記ＵＥは、無線ＬＡＮにアクセスした後に、前記ＵＥの位置情報に対応する緊急番号リストをネットワーク側機器から受信する。前記ＵＥは、受信した緊急番号リストに基づいて、緊急呼出サービスを処理する。
【００９７】
具体的に、ＵＥが無線ＬＡＮにアクセスするたびに、ネットワーク側機器は、ＵＥの位置情報を特定し、前記ＵＥの位置情報に対応する緊急番号リストをＵＥに配信する。もちろん、ＵＥが無線ＬＡＮにアクセスした後に、ネットワーク側機器は、ＵＥの位置情報に変化が生じたと特定した場合、前記ＵＥの現在の位置情報に対応する緊急番号リストをＵＥに配信してもよい。具体的に、ネットワーク側機器に距離閾値が保存されており、ＵＥの前回の位置情報と現在の位置情報との間の距離が設定済みの距離閾値より大きくなると判断された場合、前記ＵＥの現在の位置情報に対応する緊急番号リストを前記ＵＥに配信する。
【００９８】
＜実施例７＞
通常、同一国の緊急番号リストが同一であり、異なる国の緊急番号リストが異なり、ユーザの旅行もしょっちゅうすることでもなく、またはユーザの位置情報が大きく変化する場合が少ないと言えるため、ＵＥが無線ＬＡＮにアクセスするたびに前記ＵＥの位置情報に対応する緊急番号リストを取得する必要がない。したがって、上記実施例を基に、図４にフローチャートが示される本願の実施例７における緊急番号取得方法は、以下のステップＳ４０１〜４０２を含む。
【００９９】
ステップＳ４０１において、ＵＥは、無線ＬＡＮにアクセスした後に、前記ＵＥの位置情報に対応する緊急番号リストをネットワーク側機器から受信する。
【０１００】
ここで、ネットワーク側機器は、たとえばｅＰＤＧなど、上記機能を実現可能なコアネットワークにおける任意のネットワーク側機器である。ネットワーク側機器には、異なる地理位置に対応する緊急番号リストが予め設定されている。
【０１０１】
具体的に、ＵＥは、無線ＬＡＮにアクセスした後であって、ネットワーク側機器からＵＥの位置情報に基づいて配信された緊急番号リストを受信する前に、接続要求メッセージをネットワーク側機器に送信する。よって、ネットワーク側機器は、当該接続要求メッセージの中のＵＥのＩＰアドレス情報または位置情報に基づいてＵＥの位置情報を特定する。
【０１０２】
さらに、ＵＥは、接続要求メッセージをネットワーク側機器に送信した後であって、ネットワーク側機器からＵＥの位置情報に基づいて配信された緊急番号リストを受信する前に、通信チャネルの確立成功をＵＥに通知するための接続応答メッセージをネットワーク側機器から受信する。
【０１０３】
具体的な実施において、ＵＥがネットワーク側機器からＵＥの位置情報に基づいて配信された緊急番号リストを受信することは、確立済みの通信チャネルに基づいて緊急番号リスト要求情報付き認証要求メッセージをネットワーク側機器に送信した後に、ネットワーク側機器から通信チャネルに基づいて送信された設定済み緊急番号リスト付き認証応答メッセージを受信することである。
【０１０４】
さらに、認証要求メッセージには、ＵＥのＩＰアドレス情報を含んでもよい。ネットワーク側機器は、当該認証要求メッセージの中のＵＥのＩＰアドレス情報に基づいて、ＵＥの位置情報を特定する。
【０１０５】
または、認証要求メッセージには、ＵＥの位置情報を含んでもよい。ネットワーク側機器は、当該認証要求メッセージの中のＵＥの位置情報に基づいて、ＵＥの位置情報を特定する。
【０１０６】
上記接続要求メッセージと認証要求メッセージに含まれるＵＥの位置情報は、ＵＥ自身によって特定したＵＥの位置情報である。ＵＥが特定した自身の現在の位置情報は、自身が現在アクセスする無線ＬＡＮに対応するセルラーネットワークに基づいて特定した現在の位置情報であるか、取得した自身の現在のＩＰアドレス情報に基づいて特定した現在の位置情報であるか、自身に設定されたＧＰＳに基づいて特定した現在の位置情報である。
【０１０７】
ステップＳ４０２において、緊急番号リストに基づいてＵＥの緊急呼出サービスを処理するために、緊急番号リストを記憶する。
【０１０８】
具体的に、ＵＥは、上記フローによって所在地の緊急番号リストを取得した後に、当該緊急番号リストを端末の内部に記憶する。ユーザが端末で所在地の緊急番号を入力すると、端末は、内部に記憶されている緊急番号リストに基づいて、現在入力された呼出番号が所在地の緊急番号であると識別し、緊急呼出フローを迅速に実行することができる。
【０１０９】
本願の実施例において、端末は、無線ＬＡＮにアクセスした後に、ネットワーク側機器から端末の位置情報に基づいて配信された緊急番号リストを受信して記憶する。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【０１１０】
同一の発明思想に基づいて、本願の実施例は、緊急番号設定方法に対応する緊急番号設定装置をさらに提供する。当該装置は、問題を解決する原理が本願の実施例の緊急番号設定方法とは類似するため、当該装置の実施例について方法の実施を参照されたく、重複なところをここで繰り返して記載しない。
【０１１１】
＜実施例８＞
図５は、本願の実施例８における緊急番号設定装置の構造図を示す。当該緊急番号設定装置は、ユーザ端末ＵＥが無線ＬＡＮにアクセスした後に、前記ＵＥの位置情報を特定することに用いられる特定モジュール５１と、前記ＵＥの位置情報に対応する緊急番号リストを前記ＵＥに配信することに用いられる送信モジュール５２とを含む。
【０１１２】
選択可能に、前記装置は、特定した前記ＵＥの位置情報、および、異なる地理位置情報にそれぞれ対応する所定の緊急番号リストに基づいて、前記ＵＥに対し緊急番号リストを設定することに用いられる設定モジュール５３をさらに含み、前記送信モジュール５２は、具体的に、前記ＵＥに対し設定した緊急番号リストを前記ＵＥに配信することに用いられる。
【０１１３】
選択可能に、前記装置は、前記ＵＥから送信された接続確立メッセージを受信することに用いられる受信モジュール５４をさらに含み、前記特定モジュール５１は、具体的に、前記ＵＥから送信された接続確立メッセージが前記受信モジュールによって受信された後に、前記接続確立メッセージの中の前記ＵＥの情報に基づいて、前記ＵＥの位置情報を特定することに用いられる。
【０１１４】
選択可能に、前記受信モジュール５４は、具体的に、前記ＵＥから送信された接続要求メッセージまたは認証要求メッセージを受信することに用いられ、前記特定モジュール５１は、具体的に、前記ＵＥから送信された接続要求メッセージまたは認証要求メッセージが前記受信モジュールによって受信された後に、前記接続要求メッセージまたは認証要求メッセージの中の前記ＵＥの情報に基づいて、前記ＵＥの位置情報を特定することに用いられる。
【０１１５】
選択可能に、前記特定モジュール５１は、具体的に、前記ＵＥから送信された接続要求メッセージまたは認証要求メッセージが前記受信モジュールによって受信された後に、前記接続要求メッセージまたは認証要求メッセージの中の前記ＵＥのＩＰアドレス情報または位置情報に基づいて、前記ＵＥの位置情報を特定することに用いられる。
【０１１６】
選択可能に、前記送信モジュール５２は、さらに、前記ＵＥから送信された接続要求メッセージが前記受信モジュールによって受信された後であって、前記ＵＥに対し設定した緊急番号リストを前記ＵＥに配信する前に、通信チャネルの確立成功を前記ＵＥに通知するための接続応答メッセージを前記ＵＥに送信することに用いられる。
【０１１７】
選択可能に、前記受信モジュール５４は、さらに、前記ＵＥから前記通信チャネルに基づいて送信された緊急番号リスト要求情報付き認証要求メッセージを受信することに用いられ、前記送信モジュール５２は、さらに、前記通信チャネルに基づいて、設定済み緊急番号リスト付き認証応答メッセージを前記ＵＥに送信することに用いられる。
【０１１８】
選択可能に、前記送信モジュール５２は、さらに、前記認証要求メッセージが前記受信モジュールによって受信された後であって、前記認証応答メッセージを前記ＵＥに送信する前に、前記ＵＥの身分認証を認証サーバにさせるための認証要求メッセージを前記認証サーバに送信することと、身分の認証に成功すると、セッション確立要求メッセージをＰＧＷに送信することと、前記ＰＧＷから送信されたセッション確立応答メッセージが前記受信モジュールによって受信された後に、前記通信チャネルに基づいて、前記認証応答メッセージを前記ＵＥに送信することとに用いられる。
【０１１９】
本願の実施例における緊急番号設定装置によれば、異なる地理位置に対応する緊急番号リストを特定モジュールに予め設定することによって、端末が無線ＬＡＮにアクセスした後に、端末の位置情報を特定してから当該位置情報に対応する緊急番号リストを当該端末に配信することができる。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【０１２０】
同一の発明思想に基づいて、本願の実施例は、緊急番号取得方法に対応する緊急番号取得装置をさらに提供する。当該装置は、問題を解決する原理が本願の実施例の緊急番号取得方法とは類似するため、当該装置の実施例について方法の実施を参照されたく、重複なところをここで繰り返して記載しない。
【０１２１】
＜実施例９＞
図６は、本願の実施例９における緊急番号取得装置の構造図である。当該緊急番号取得装置は、無線ＬＡＮにアクセスすることに用いられるアクセスモジュール６１と、無線ＬＡＮにアクセスした後に、前記ＵＥの位置情報に対応する緊急番号リストをネットワーク側機器から受信することに用いられる受信モジュール６２とを含む。
【０１２２】
選択可能に、前記装置は、前記ネットワーク側機器との間で確立された通信チャネルに基づいて、緊急番号リスト要求情報付き認証要求メッセージを前記ネットワーク側機器に送信することに用いられる送信モジュール６３をさらに含み、前記受信モジュール６２は、具体的に、前記ネットワーク側機器から前記通信チャネルに基づいて送信された設定済み緊急番号リスト付き認証応答メッセージを受信することに用いられる。
【０１２３】
選択可能に、前記装置は、緊急番号リストに基づいて前記ＵＥの緊急呼出サービスを処理するために、前記緊急番号リストを記憶することに用いられる記憶モジュール６４をさらに含む。
【０１２４】
本願の実施例における緊急番号取得装置によれば、無線ＬＡＮにアクセスした後に、受信モジュールは、前記ＵＥの位置情報に対応する緊急番号リストをネットワーク側機器から受信し、それを記憶モジュールによって端末の内部に記憶する。このように、ユーザのローミング中であっても、端末は、ローミング先の無線ＬＡＮにアクセスした後にローミング先の緊急番号リストを取得することができ、緊急番号リストの動的取得という目的が達成される。後にユーザがＶｏＷｉＦｉで緊急呼出サービスを実行する際に、端末は、取得したローミング先の緊急番号リストに基づいて、ユーザから入力された番号がローミング先の緊急番号であると識別することができ、緊急呼出プロセスを迅速に実行する。
【０１２５】
本開示の実施例は、方法、システム、又はコンピュータプログラムプロダクトとして提供されうると当業者が理解できる。従って、本発明は、完全にハードウェアの実施例、完全にソフトウェアの実施例、又はソフトウェアとハードウェアを組み合わせた実施例の形態を取り得る。しかも、本開示は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【０１２６】
本開示は、本開示の実施例による方法、デバイス（システム）及びコンピュータプログラムプロダクトのフローチャート及び／又はブロック図を参照にして記載されている。フローチャート及び／又はブロック図における各フロー及び／又はブロック、及びフローチャート及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルデータ処理デバイスのプロセッサに提供して１つの機器を形成し、コンピュータ又は他のプログラマブルデータ処理デバイスのプロセッサにより実行される指令により、フローチャートの１つ又は複数のフロー及び／又はブロック図の１つ又は複数のブロックで指定される機能を実現するための装置を形成する。
【０１２７】
これらのコンピュータプログラムコマンドは、コンピュータ又は他のプログラマブルデータ処理デバイスに特定の方式で動作させることを導けるコンピュータ読み出し可能なメモリに格納されてもよく、当該コンピュータ読み出し可能なメモリに格納されるコマンドにより、コマンド装置を含むプロダクトを形成する。当該コマンド装置は、フローチャートの１つ又は複数のフロー及び／又はブロック図の１つ又は複数のブロックで指定される機能を実現する。
【０１２８】
これらのコンピュータプログラムコマンドは、コンピュータ又は他のプログラマブルデータ処理デバイスにロードされてもよく、コンピュータ又は他のプログラマブルデータ処理デバイスで一連の操作工程を実行することにより、コンピュータで実現される処理を形成し、コンピュータ又は他のプログラマブルデータ処理デバイスで実行されるコマンドにより、フローチャートの１つ又は複数のフロー及び／又はブロック図の１つ又は複数のブロックで指定される機能を実現するためのステップを提供する。
【０１２９】
本開示の好適な実施例を記載したが、当業者は、基本的な創造性概念をいったん知ると、これらの実施例に対し別の変更や修正をすることができる。従って、添付の特許請求の範囲は、好適な実施例及び本開示の範囲に入る全ての変更や修正を含むことを意図とする。
【０１３０】
明らかに、当業者は、本開示の精神や範囲を逸脱せずに、本開示に対して様々な変更や変形をすることができる。このように、本開示のこれらの修正や変形が本開示の請求項及びその同等の技術範囲に含まれるものであれば、本開示は、これらの変更や変形を含むことを意図とする。
【図１】
0006951445.tif 000002
【図２】
0006951445.tif 000003
【図３】
0006951445.tif 000004
【図４】
0006951445.tif 000005
【図５】
0006951445.tif 000006
【図６】
0006951445.tif 000007